(57)【要約】【課題】本発明は、主としてプラスイオンとマイナスイオンとを交互に発生させることにより、毛髪の酸性度を正常な状態に戻すヘアケア装置を提供することを目的とするものである。【解決手段】本発明に係るヘアドライヤは、その本体Ａ内における空気流（矢符ａ）を送出する空気流路Ａ０内に、プラスイオンを発生する電極針１１とマイナスイオンを発生する電極針１２とを設け、プラスイオン発生器とマイナスイオン発生器とを交互に作動させる回路と、マイナスイオン発生器のみを作動させる回路と、これらの回路を切り替える切替回路とを設けることにより、毛髪に対して、空気流と共にプラスイオンとマイナスイオンとを交互に送出するか、又は、空気流と共にマイナスイオンのみを送出することにより、毛髪の酸性度を、ｐＨ４．５〜５．５の範囲内又は前記数値範囲に近付けるものである。【選択図】        図４
2018201714.tif 000002
【特許請求の範囲】
【請求項１】
毛髪に対して空気流を送出する空気流路内に、プラスイオン発生器とマイナスイオン発生器とを設け、空気流と共にプラスイオンとマイナスイオンとを毛髪に対して送出するヘアケア装置において、
プラスイオン発生器とマイナスイオン発生器とを交互に作動させる回路と、マイナスイオン発生器のみを作動させる回路と、これら回路を切り替える切替回路とをそれぞれ設け、
毛髪に対して、空気流と共にプラスイオンとマイナスイオンとを交互に送出するか、又は、空気流と共にマイナスイオンのみを送出することにより、
毛髪の酸性度を、ｐＨ４．５〜５．５の範囲内又は前記数値範囲に近付ける
ことを特徴とするヘアケア装置。
【請求項２】
プラスイオン発生器とマイナスイオン発生器とを交互に作動させる回路において、パルス制御によりマイナスイオン発生器の作動時間が長くなるように構成した
ことを特徴とする請求項１に記載のヘアケア装置。
【請求項３】
プラスイオン発生器とマイナスイオン発生器とを交互に作動させる回路において、パルス制御によりプラスイオン発生器の作動時間が長くなるように構成した
ことを特徴とする請求項１に記載のヘアケア装置。
【請求項４】
空気流路を複数に分割し、その１つはヒータを備えていて熱風の送出が可能な熱風路であり、他の一つはヒータを備えていない冷風路であって、
前記熱風路にはマイナスイオン発生器を設け、
前記冷風路にはプラスイオン発生器を設けた
ことを特徴とする請求項１〜３のいずれか１項に記載のヘアケア装置。
【発明の詳細な説明】
【技術分野】
【０００１】
本発明は、毛髪を正常な酸性度に戻すためのヘアケア装置に関し、特に毛髪の乾燥及びセットをするヘアドライヤや毛髪をカール又はストレートにセットするヘアアイロンなどのヘア装置などに好適に応用することができるヘアケア装置に関する。
【背景技術】
【０００２】
毛髪をブラシや櫛によりブラッシングを行うと毛髪に静電気が発生し、また、この静電気が毛髪のキューティクルに影響を与え、毛髪にダメージを与える問題がある。
【０００３】
これを解消するために、従来より、マイナスイオンを毛髪に付与し、マイナスイオンを毛髪内部まで浸透させて毛髪をさらさらにすることが発案されている。
【０００４】
しかしながら、静電気にはプラスとマイナスとがあるため、マイナスイオンのみを毛髪に付与することは適切でない場合がある。
【０００５】
そこで、下記特許文献１に記載のヘアセット機器が開発された。当該ヘアセット機器は、
毛髪に対して空気流を送出する空気流出路と、該空気流出路内に設けられて空気吐出口から空気流を送出するファンとを備えたヘヤセット機器であって、前記空気流出路内にプラスイオン・マイナスイオン発生器を設け、前記空気流と共にプラスイオンとマイナスイオンとを毛髪に対して送出する構成のものであり、このように構成したことにより、ブラッシングに際して毛髪に発生する静電気のプラス電荷とマイナス電荷との両方に、それぞれ対応してプラスイオンとマイナスイオンが作用することになり、静電気の帯電状態を除去することができ、その結果、静電気による毛髪への悪影響が除去され、毛髪へのダメージを減少させると共に、意図する毛髪のセットが容易に行えることを目的とするものである。
【先行技術文献】
【特許文献】
【０００６】
【特許文献１】特開２００８−４９１０１号公報
【発明の概要】
【発明が解決しようとする課題】
【０００７】
しかしながら、上記特許文献１に示されるヘアセット装置は、毛髪に発生する静電気のプラス電荷とマイナス電荷とに対応してプラスイオンとマイナスイオンが作用するだけのものにすぎない。したがって、使用者が毛髪にプラス又はマイナスのいずれが帯電しているかを独自に判断して操作する必要があり、プラスに帯電している場合にプラスイオンを作用させたり、マイナスに帯電している場合にマイナスイオンを作用させることは毛髪への悪影響が助長するおそれがある。仮にプラスに帯電している場合にマイナスイオンを付与していても、度が過ぎると逆にマイナスに帯電してしまうおそれがあり、毛髪が正常な状態になった時点で操作を停止することは容易ではない。
【０００８】
本発明は、主としてプラスイオンとマイナスイオンとを交互に発生させることにより、毛髪の酸性度を正常な状態に戻すヘアケア装置を提供することを目的とするものである。
【課題を解決するための手段】
【０００９】
本発明の請求項１に係るヘアケア装置は、毛髪に対して空気流を送出する空気流路内に、プラスイオン発生器とマイナスイオン発生器とを設け、空気流と共にプラスイオンとマイナスイオンとを毛髪に対して送出するヘアケア装置において、プラスイオン発生器とマイナスイオン発生器とを交互に作動させる回路と、マイナスイオン発生器のみを作動させる回路と、これら回路を切り替える切替回路とをそれぞれ設け、毛髪に対して、空気流と共にプラスイオンとマイナスイオンとを交互に送出するか、又は、空気流と共にマイナスイオンのみを送出することにより、毛髪の酸性度を、ｐＨ４．５〜５．５の範囲内又は前記数値範囲に近付けることを特徴とする。
【００１０】
本発明の請求項２に係るヘアケア装置は、上記請求項１に係るヘアケア装置の構成に加えて、プラスイオン発生器とマイナスイオン発生器とを交互に作動させる回路において、パルス制御により、マイナスイオン発生器の作動時間が長くなるように構成したことを特徴とする。
【００１１】
本発明の請求項３に係るヘアケア装置は、上記請求項１に係るヘアケア装置の構成に加えて、プラスイオン発生器とマイナスイオン発生器とを交互に作動させる回路において、パルス制御により、プラスイオン発生器の作動時間が長くなるように構成したことを特徴とする。
【００１２】
本発明の請求項４に係るヘアケア装置は、上記請求項１〜３のいずれか１項に係るヘアケア装置の構成に加えて、空気流路を複数に分割し、その１つはヒータを備えていて熱風の送出が可能な熱風路であり、他の一つはヒータを備えていない冷風路であって、前記熱風路にはマイナスイオン発生器を設け、前記冷風路にはプラスイオン発生器を設けたことを特徴とする。
【００１３】
［本発明の作用］
毛髪にプラスイオン又はマイナスイオンを付与することの作用について、図１の説明図に基づいて説明する。
【００１４】
毛髪の正常なｐＨ値は、４．５〜５．５の弱酸性であるが、毛髪が乾燥した場合などには、図１において左半部側の４．５以下のプラス電子が多くなる状態となり、シャンプー後の場合などには図１において右半部側の５．５以上のマイナス電子が多くなる状態となる。
【００１５】
すなわち、乾燥した毛髪は、プラス電子に帯電して静電気が発生しやすくなっており、また、マイナスイオンだけを付与し続けるとマイナス電子に帯電し、マイナスイオンが毛髪に付着しにくくなるので、プラスイオンとマイナスイオンとを交互に付与することにより、プラスに偏った電荷を中和させることでプラスに帯電した毛髪に対してはマイナスイオン効果が高まる。
【００１６】
ヘアカラーやパーマあるいはシャンプー後の毛髪はアルカリ性に傾き、これに起因してキューティクルが開いて栄養分が外部に出やすくなっており、プラスイオンを付与することにより、キューティクルを引き締めてアルカリ性の毛髪を弱酸性に導き、逆に乾燥した毛髪は酸性に傾くため静電気が発生しがちになるので、マイナスイオンを付与することにより弱酸性に導く。
【００１７】
濡れたままの毛髪が摩擦などでこすれると、開いたキューティクルが傷つき、また、枝毛や切れ毛の原因となるため、プラスイオンを付与することにより、シャンプー後は水分で開いたキューティクルを引き締めた上でしっかりと乾燥させることで、毛髪が痛む原因となる生乾きを防ぎ、潤いのある艶やかな毛髪を保つことができる。
【００１８】
プラスイオン及びマイナスイオンの交互発生により、シャンプー後にしっかり乾かしながらアルカリ性に傾いた毛髪を弱酸性へ導き、プラスイオン及びマイナスイオンの交互発生により、マイナスイオン効果を高める。
【００１９】
プラスに帯電した毛髪に対してマイナスイオンを付与すると互いに引き合うことで中和が促進する。そのまま続けてマイナスイオンを付与するとマイナスに帯電してアルカリ性化してしまうが、本発明はプラスイオン及びマイナスイオンの交互発生により、マイナスに帯電した毛髪を中和させ、これを繰り返すことにより、毛髪のｐＨは正常値の４．５〜５．５の範囲に入るか若しくはそれに近似することになり、毛髪に対して最適な状態となる。
【発明の効果】
【００２０】
本発明に係るヘアケア装置は、プラスイオンとマイナスイオンとを自動的に交互に発生させることにより、毛髪の酸性度を正常な状態に戻すことが可能になる。
【図面の簡単な説明】
【００２１】
【図１】毛髪に対するプラスイオン又はマイナスイオンを付与することの作用を示す説明図である。
【図２】本発明の実施例１に係るヘアドライヤの吹出口を取り外した状態を示す斜視図である。
【図３】本発明の実施例１に係るヘアドライヤの正面図である。
【図４】本発明の実施例１に係るヘアドライヤの空気流路を示す概略側面図である。
【図５】本発明の実施例１に係るヘアドライヤのイオン発生機構を示す概略回路図である。
【図６】本発明の実施例１に係るヘアドライヤにおける発信装置からの電圧出力波形（ａ）とプラスイオンとマイナスイオンとが交互に発生する状態を示す印加電圧出力波形（ｂ）を示す図である。
【図７】本発明の実施例１に係るヘアドライヤにおける発信装置からの電圧出力波形（ａ）とマイナスイオンのみが発生する状態を示す印加電圧出力波形（ｂ）を示す図である。
【図８】本発明の実施例１に係るヘアドライヤにおいて、パルス制御によりマイナスイオン発生器の作動時間が長くなるように構成した場合の発信装置からの電圧出力波形（ａ）とプラスイオンとマイナスイオンとが交互に発生する状態を示す印加電圧出力波形（ｂ）を示す図である。
【図９】本発明の実施例１に係るヘアドライヤにおいて、パルス制御によりプラスイオン発生器の作動時間が長くなるように構成した場合の発信装置からの電圧出力波形（ａ）とプラスイオンとマイナスイオンとが交互に発生する状態を示す印加電圧出力波形（ｂ）を示す図である。
【図１０】本発明の実施例２に係るヘアドライヤの正面図である。
【図１１】本発明の実施例２に係るヘアドライヤの空気流路を示す概略側面図である。
【発明を実施するための形態】
【００２２】
次に本発明の好適な実施例を添付の図面に基づいて詳細に説明する。なお、本実施例は、ヘアドライヤについて説明するが、ヘアアイロンについても適用できるものである。
【実施例１】
【００２３】
図２において、Ａはヘアドライヤ本体を示し、Ｂは吹出口を構成するアタッチメントを示す。ヘアドライヤ本体Ａは、その内部に、主として、背面側から空気を取り入れ、取り入れた空気を吹出口から外部へ送出するファン（不図示）、取り入れた空気を加熱するヒータ、プラスイオン発生器及びマナスイオン発生器、ヘアドライヤ本体Ａの空気出口の格子部に配設されたプラスイオン及びマナスイオンを発生する各電極針、これらの部材を電気的に作動させる回路基板及びヘアドライヤ本体Ａのグリップ部に配設される操作部とから構成される。なお、電源コードは図示を省略する。
【００２４】
図２及び図３に示すように、ヘアドライヤ本体Ａの空気出口に格子部１０が設けられており、格子部１０の上部にはプラスイオンが発生する電極針１１が配設され、格子部１０の下部にはマイナスイオンが発生する電極針１２が配設されている。
【００２５】
図４に示すように、ヘアドライヤ本体Ａの内部には空気流路Ａ０が形成されており、空気流路Ａ０を流れる空気流（矢符ａ）は、前記電極針１１及び前記電極針１２を通過して、アタッチメントＢの吹出口部Ｂ１，Ｂ２，Ｂ３から外部、すなわち毛髪に対して送出される。この空気流は、前記電極針１１が作動状態にあれば、プラスイオンと共に送出されることになり、前記電極針１２が作動状態にあれば、マイナスイオンと共に送出されることになる。
【００２６】
また、空気流路Ａ０には、ヘアドライヤ本体Ａの中央部にヒータ１３が設けられている。ヒータ１３が作動状態にあれば熱風路を形成することになってアタッチメントＢの吹出口部Ｂ１，Ｂ２，Ｂ３から熱風が送出され、ヒータ１３が作動状態になければ、冷風路を形成することになってアタッチメントＢの吹出口部Ｂ１，Ｂ２，Ｂ３から冷風が送出される。
【００２７】
したがって、電極針１１が作動状態にあり、ヒータ１３が作動状態になければ、冷風とプラスイオンとが送出される。電極針１２が作動状態にあり、ヒータ１３が作動状態になければ、冷風とマイナスイオンとが送出される。電極針１１が作動状態にあり、ヒータ１３が作動状態にあれば、熱風とプラスイオンとが送出される。電極針１２が作動状態にあり、ヒータ１３が作動状態にあれば、熱風とマイナスイオンとが送出される。しかも、後述するように、本実施例においては電極針１２のみが作動する回路と、電極針１１と電極針１２とが交互に作動する回路とが切り替えられるように構成されているため、冷風又は熱風と共にマイナスイオンが送出する場合と、冷風又は熱風と共にプラスイオンとマイナスイオンとが交互に送出する場合とに切り替えることができるようになっている。
【００２８】
なお、図示は省略するが、ヘアドライヤ本体Ａの空気出口に設けた格子部１０の上部にプラスイオンが発生する電極針を配設し、格子部１０の上下方向中央部にマイナスイオンが発生する電極針を配設してもよく、その場合には、空気流路Ａ０を流れる空気流は、電極針１１を通過してアタッチメントＢの吹出口部Ｂ１，Ｂ３から外部へ送出される空気流と、電極針１２を通過してアタッチメントＢの吹出口部Ｂ２から外部へ送出される空気流とから構成される。
【００２９】
図５に示すイオン発生機構を示す概略回路図において、ＳＷ１は電源スイッチと風量切替スイッチとを兼ねている。ＳＷ２はヒータ切替スイッチである。ＳＷ１において接点イと接点１とが開いている場合は「電源ＯＦＦ」の状態となり、電流が回路に流れないためにヘアドライヤ全体が作動しない。接点イと接点１とが閉じ、かつ、接点ロと接点１とが閉じた場合には、モータＭに電流が流れて不図示のファンが回転し、ヘアドライヤＡ内の空気流路に空気が流れてアタッチメントＢから空気が送出される。なお、接点ロと接点２とが開いている状態では、ヒータを切り替えるスイッチＳＷ２に電流が流れないので、常に冷風状態となる。
【００３０】
ＳＷ１における接点イと接点１とが閉じ、かつ、接点ロと接点２とが閉じた場合に、ＳＷ２を閉じるとヒータが作動し、吹出口Ｂから熱風が送出される。
【００３１】
ＳＷ１における接点イと接点１とが閉じ、かつ、接点ロと接点１及び接点ロと接点２が閉じた場合には、風量が増大し、この場合に、ＳＷ２を閉じるとヒータが作動し、吹出口Ｂから大風量の熱風が送出される。
【００３２】
ＳＷ３は、少なくともＳＷ１における接点イと接点１とが閉じ、タイマー基板を内蔵した発信装置を作動させ、これによりプラスイオン発生器及びマイナスイオン発生器を作動させて電極針からプラスイオン及びマイナスイオンを発生させる。すなわち、ＳＷ３が開いている場合には、発信装置におけるタイマー基板から電流が出力されると共にタイマーが作動してパルス制御された電流が出力される場合と電流が出力されない場合との交互に電流の出力が切り替わる。これにより、タイマー基板から電流が出力される場合は、矢符ｂ１で示す方向に電流が流れ、トランジスタＱ１がＯＮになってプラスイオンを発生させるイオン発生器側に矢符ｃで示す方向に電流が流れる。この時にトランジスタＱ２にも矢符ｂ２，ｂ３で示す方向に電流が流れることでトランジスタＱ３がＯＦＦになる。また、タイマー基板からの電流が出力されない場合には電流の出力を反転させるトランジスタＱ２がＯＦＦになり、矢符ｄで示す方向に電流がトランジスタＱ３に流れてマイナスイオンを発生させるイオン発生器側に矢符ｅで示す方向に電流が流れることになる。したがって、２つの電極針からは交互にプラスイオンとマイナスイオンとが発生することになる。
【００３３】
本実施例においては、ＳＷ３が開いたときにタイマー調整及びパルス制御により１秒おきにパルス電流が出力されるように設定されている。
【００３４】
上記とは逆にＳＷ３が閉じると発信装置からの電流出力がないので、トランジスタＱ１がＯＦＦの状態で、電流の出力を反転させるトランジスタＱ２よりトランジスタＱ３がＯＮになってマイナスイオンを発生させるイオン発生器側に電流が流れることになり、マイナスイオンを発生させるイオン発生器側に常に電流が流れることになるため、電極針からは常にマイナスイオンが発生することになる。
【００３５】
図６は、ＳＷ３が開いたときの発信装置からの電圧出力波形（ａ）とプラスイオンとマイナスイオンとが交互に発生する状態を示す印加電圧出力波形（ｂ）とを示しており、ＳＷ３が開いたときは、印加電圧出力波形（ｂ）に示すように１秒おきにプラスイオンとマイナスイオンとが交互に発生することになる。
【００３６】
図７は、ＳＷ３が閉じたときの発信装置からの電圧出力波形（ａ）とプラスイオンとマイナスイオンとが交互に発生する状態を示す印加電圧出力波形（ｂ）とを示しており、ＳＷ３が閉じたときは印加電圧出力波形（ｂ）に示すようにマイナスイオンのみが常に発生することになる。
【００３７】
図８は、プラスイオンとマイナスイオンとが交互に発生することについて、その時間的間隔を変化させた変更例１である。変更例１は、タイマー調整及びパルス制御によりマイナスイオン発生器の作動時間が長くなるように構成した場合である。図においては、発信装置からの電圧出力波形（ａ）とプラスイオンとマイナスイオンとが交互に発生する状態を示す印加電圧出力波形（ｂ）とが示されている。変更例１においては、プラスイオン０．４秒とマイナスイオン１．６秒とが交互に発生するように設定したものである。もちろん、タイマー調整及びパルス制御によりプラスイオンが発生する時間間隔とマイナスイオンが発生する時間間隔とを適宜変更することができる。
【００３８】
図９は、プラスイオンとマイナスイオンとが交互に発生することについて、その時間的間隔を変化させた変更例２である。変更例２は、タイマー調整及びパルス制御によりプラスイオン発生器の作動時間が長くなるように構成した場合である。図においては、発信装置からの電圧出力波形（ａ）とプラスイオンとマイナスイオンとが交互に発生する状態を示す印加電圧出力波形（ｂ）が示されている。変更例２においては、プラスイオン１．６秒とマイナスイオン０．４秒とが交互に発生するように設定したものである。もちろん、タイマー調整及びパルス制御によりプラスイオンが発生する時間間隔とマイナスイオンが発生する時間間隔とを適宜変更することができる。
【００３９】
また、図２〜４に示すように、ヘアドライヤ本体Ａのグリップ部には、操作部１５が設けられており、操作部１５の詳細（詳細は不図示）としては、図５の回路図において、スイッチＳＷ１の関係としては、電源「ＯＮ／ＯＦＦ」、冷風モード「ＣＯＯＬ」、風量切替「ＨＩＧＨ／ＬＯＷ」の各操作ができる切替スイッチを設けることが考えられる。スイッチＳＷ２の関係としては、熱風と冷風とを切り替える「ＨＯＴ／ＣＯＯＬ」の操作ができる切替スイッチを設けることが考えられる。スイッチＳＷ３の関係としては、マイナスイオンとプラスイオンとの交互発生とマイナスイオンのみの発生とを切り替える「＋−／−」と、マイナスイオンとプラスイオンとの交互発生における各発生時間の間隔を変化させる「−長／＋長」との各切替スイッチが考えられる。
【００４０】
なお、プラスイオンが発生する電極針及びマイナスイオンが発生する電極針の配置や個数は上記のものに限られるものではない。
【００４１】
以上のように実施例１を構成したことにより、前述した本発明の作用が行われ、その効果が発揮される。
【実施例２】
【００４２】
本実施例は、上記実施例１における空気流路Ａ０に対して、その内部に空気が流れる方向に円筒体を設けて外側空気流路部Ａ１ｂと内側空気流路部Ａ２ｂとに２分割し、内側空気流路部Ａ２ｂにヒータ１３ｂを設け、格子部１０における電極針１１，１２の配置を変更したものである。その余の構成は上記実施例１と同様であるので、その説明を省略する。
【００４３】
すなわち、図１０に示すように、本実施例における格子部１０ｂにおいて、その上部にプラスイオンが発生する電極針１１ｂが配され、格子部１０ｂの上下方向中央部にマイナスイオンが発生する電極針１２ｂが配されている。
【００４４】
したがって、図１１に示すように、ヘアドライヤ本体の内部における外側空気流路部Ａ１ｂに流れる空気流（矢符ｇ）は前記電極針１１ｂを通過して送出される。これにより、空気流路部Ａ１ｂから送出される空気流は、前記電極針１１ｂが作動状態にあればプラスイオンと共に送出され。
【００４５】
また、ヘアドライヤ本体の内部における内側空気流路部Ａ２ｂに流れる空気流（矢符ｆ）は前記電極針１２ａを通過して送出される。これにより、空気流路部Ａ２ｂから送出される空気流は、前記電極針１２ｂが作動状態にあればマイナスイオンと共に送出されることになる。
【００４６】
以上の構成により、前述した図５に示す回路においてスイッチＳＷ３を開ければ、プラスイオンとマイナスイオンとの交互発生となり、ＳＷ３を閉じればマイナスイオン発生のみとなる。
【００４７】
また、内側空気流路部Ａ２ｂには、ヒータ１３ｂが配設されているので、電極針１１ｂが作動状態にあり、ヒータ１３ｂが作動状態になければ、冷風とプラスイオンとが送出される。電極針１２ｂが作動状態にあり、ヒータ１３ｂが作動状態になければ、冷風とマイナスイオンとが送出される。電極針１１ｂが作動状態にあり、ヒータ１３ｂが作動状態にあれば、熱風とプラスイオンとが送出される。電極針１２ｂが作動状態にあり、ヒータ１３ｂが作動状態にあれば、熱風とマイナスイオンとが送出される。しかも、上述したように、本実施例においては電極針１２ｂのみが作動する回路と、電極針１１ｂと電極針１２ｂとが交互に作動する回路とが切り替えられるように構成されているため、冷風又は熱風と共にマイナスイオンが送出する場合と、冷風又は熱風と共にプラスイオンとマイナスイオンとが交互に送出する場合とに切り替えることができるようになっている。
【００４８】
もちろん空気流路の分割、ヒータの配設、プラスイオンが発生する電極針及びマイナスイオンが発生する電極針の配置や個数については、本実施例に限られるものではない。
【００４９】
以上のように実施例２を構成したことにより、前述した本発明の作用が行われ、その効果が発揮される。
【００５０】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５１】
Ａ………ヘアドライヤ本体
Ａ０……空気流路
Ｂ………アタッチメント（吹出口）
Ｂ１……上部吹出口部
Ｂ２……中央部吹出口部
Ｂ３……下部吹出口部
１０……格子部
１１……プラスイオンを発生する電極針
１２……マイナスイオンを発生する電極針
１３……ヒータ
１５……操作部
Ａ１ｂ…外側空気流路部
Ａ２ｂ…内側空気流路部
１０ｂ…格子部
１１ｂ…プラスイオンを発生する電極針
１２ｂ…マイナスイオンを発生する電極針
１３ｂ…ヒータ
【図１】
2018201714.tif 000003
【図２】
2018201714.tif 000004
【図３】
2018201714.tif 000005
【図４】
2018201714.tif 000006
【図５】
2018201714.tif 000007
【図６】
2018201714.tif 000008
【図７】
2018201714.tif 000009
【図８】
2018201714.tif 000010
【図９】
2018201714.tif 000011
【図１０】
2018201714.tif 000012
【図１１】
2018201714.tif 000013